(57)【特許請求の範囲】
【請求項１】
界面活性剤を５〜５５重量％、水を３５〜９０重量％含有する液状洗浄剤組成物において、粒径が０．１〜１０μｍのコンジョウ、群青、ベンガラ、黄酸化鉄、黒酸化鉄、酸化クロム及び水酸化クロムから選ばれる一種又は二種以上の無機有色顔料を０．０００１〜０．１重量％、タルクを０．０００１〜０．１重量％配合したことを特徴とするボディー用、洗顔用又は手洗い用液状洗浄剤組成物。
【請求項２】
更にパール剤を配合することを特徴とする、請求項１に記載の液状洗浄剤組成物。
【請求項３】
界面活性剤としてアニオン系界面活性剤を含有することを特徴とする、請求項１または２に記載の液状洗浄剤組成物。
【請求項４】
炭素数８〜２２の高級脂肪酸塩を含有することを特徴とする、請求項３に記載の液状洗浄剤組成物。
【発明の詳細な説明】
【０００１】
【発明の属する技術分野】
本発明は、ボディー用、洗顔用、手洗い用等の用途を有する液状洗浄剤組成物に関し、特に外観に優れ、安全性及び安定性の良好な液状洗浄剤組成物に関する。
【０００２】
【従来の技術】
一般に顔面及び身体用洗浄剤組成物における基本性能として、泡立ち、清浄性の他に、外観の美しさは重要な要因であるといえる。この外観の美しさを実現するために、従来タール色素を中心とした有機系着色剤を用いることが主として行われてきた。
【０００３】
しかしながら、上記有機系着色剤では、肌に対する安全性や、温度・紫外線に対する安定性の点で問題があった。一方無機顔料を使用する場合には、液状洗浄剤組成物において顔料成分の沈降や凝集などの経時安定性の問題があるため、実際に無機有色顔料を配合したものは見られなかった。従って、従来液状洗浄剤組成物においては、安全性及び安定性が良好な着色された外観のものは得られておらず、もっぱら不透明の容器に収容されていた。
【０００４】
【発明が解決しようとする課題】
本発明は、泡立ち、清浄性、使用感等の液状洗浄剤組成物としての基本性能を満たしつつ、外観に優れ、しかも安全性及び安定性の良好な液状洗浄剤組成物を提供することを目的とする。
【０００５】
【課題を解決するための手段】
本発明者らは上記実情に鑑み鋭意検討した結果、界面活性剤及び水を特定量含有する液状洗浄剤組成物において、無機有色顔料を特定量配合することで上記課題を解決できることを見出し、本発明を完成した。
すなわち、本発明は以下の発明を包含する。
（１）界面活性剤を５〜５５重量％、水を３５〜９０重量％含有する液状洗浄剤組成物において、無機有色顔料を0.0001〜0.1重量％配合したことを特徴とする液状洗浄剤組成物。
【０００６】
（２）無機有色顔料と共にタルクを0.0001〜0.1重量％の範囲で配合することを特徴とする、前記（１）に記載の液状洗浄剤組成物。
（３）更にパール剤を配合することを特徴とする、前記（２）に記載の液状洗浄剤組成物。
（４）界面活性剤としてアニオン系界面活性剤を含有することを特徴とする、前記（１）または（２）に記載の液状洗浄剤組成物。
（５）炭素数８〜２２の高級脂肪酸塩を含有することを特徴とする、前記（４）に記載の液状洗浄剤組成物。
【０００７】
【発明の実施の形態】
本発明の液状洗浄剤組成物において必須に含有される界面活性剤としては、化粧品一般に用いられている界面活性剤であればよく、アニオン系界面活性剤、ノニオン系界面活性剤、カチオン系界面活性剤、両性界面活性剤等が挙げられる。
【０００８】
本発明において好適に用いられるアニオン系界面活性剤としては、例えば高級脂肪酸塩、アルキルベンゼン硫酸塩、アルキルスルホン酸塩、α−オレフィンスルホン酸塩、ジアルキルスルホコハク酸塩、α−スルホン化脂肪酸塩、アシルメチルタウリン塩、Ｎ−メチル−Ｎ−アルキルタウリン塩、ポリオキシエチレンアルキルエーテル硫酸塩、ポリオキシエチレンアルキルフェニルエーテル硫酸塩、アルキル燐酸塩、ポリオキシエチレンアルキルエーテル燐酸塩、ポリオキシエチレンアルキルフェニルエーテル燐酸塩、Ｎ−アシルアミノ酸塩、Ｎ−アシル−Ｎ−アルキルアミノ酸塩、アルキルスルホコハク酸塩等が挙げられ、特に限定されるものではないが、良好な泡立ち、さっぱりした使用感を有し、皮膚刺激が少ないものを得るためには高級脂肪酸塩を使用することが好ましい。
【０００９】
本発明において特に好適に用いられる高級脂肪酸塩は、炭素数８〜２２のものであり、起泡性及び溶解性の点から、炭素数１０〜２０のものが好ましく、炭素数１２〜１８のものが更に好ましい。
このような高級脂肪酸としては、例えば、牛脂、羊油等の動物油脂、ヤシ油、パーム核油、大豆油、オリ−ブ油、綿実油等の植物油脂等を常法により高圧分解して得られる脂肪酸混合物や、これらを分離精製して得られるラウリン酸、ミリスチン酸、パルミチン酸、ステアリン酸、オレイン酸、イソミリスチン酸、イソパルミチン酸、イソステアリン酸等が挙げられる。これらは単独で使用しても、複数種を併用してもよい。
【００１０】
前述のような高級脂肪酸とイオン結合して塩を構成するための対イオンとしては、ナトリウムイオン、カリウムイオン等のアルカリ金属イオン、アンモニウムイオン、炭素数２〜３のヒドロキシアルキル基を有するアルカノールアンモニウムイオン等が挙げられる。
【００１１】
また、ノニオン系界面活性剤としては、例えば、グリセリン脂肪酸エステル及びそのアルキレングリコール付加物、ポリグリセリン脂肪酸エステル及びそのアルキレングリコール付加物、プロピレングリコール脂肪酸エステル及びそのアルキレングリコール付加物、ソルビタン脂肪酸エステル及びそのアルキレングリコール付加物、ソルビトールの脂肪酸エステル及びそのアルキレングリコール付加物、ポリアルキレングリコール脂肪酸エステル、蔗糖脂肪酸エステル、ポリオキシアルキレンアルキルエーテル、グリセリンアルキルエーテル、ポリオキシエチレンアルキルフェニルエーテル、ポリオキシエチレン硬化ヒマシ油、ラノリンのアルキレングリコール付加物、ポリオキシアルキレン変性シリコーン、ポリエーテル変性シリコーン等が挙げられる。
【００１２】
カチオン系界面活性剤としては、塩化アルキルトリメチルアンモニウム、塩化ジアルキルジメチルアンモニウム等が挙げられる。
両性界面活性剤としては、アミノ酸タイプやベタインタイプのカルボン酸型、硫酸エステル型、スルホン酸型、リン酸エステル型のものがあり、人体に対して安全とされるものが使用できる。
【００１３】
本発明において、前記界面活性剤の配合割合は、液状洗浄剤組成物に対して、通常５〜５５重量％、好ましくは１０〜５０重量％である。
また、本発明において必須に含有される水は、通常液状洗浄剤組成物に配合されるものであればいずれでもよく、好ましくは精製水であり、本発明の液状洗浄剤組成物において３５〜９０重量％の範囲で含有される。
【００１４】
本発明において、優れた外観を達成するために配合される無機有色顔料としては、化粧品一般に使用されるものであればいずれでもよい。具体的には、コンジョウ、群青、ベンガラ、黄酸化鉄、黒酸化鉄、酸化クロム、水酸化クロム等が挙げられ、これらを一種又は二種以上用いることができる。また、これら粉体は一種または二種以上の複合化した複合粉体を用いても良い。更に、公知の方法により表面処理を施したものであっても良い。本発明において、無機有色顔料は、球状、板状、針状、不定形等の形状、粒子径、多孔質、無孔質等の粒子構造等により特に限定されないが、好ましくは粒径が0.1〜10μmのものが安定性を得る上で特に好ましい。無機有色顔料は本発明の液状洗浄剤組成物中に0.0001〜0.1重量％の範囲で配合する。この範囲未満では外観の良さが得られず、この範囲を越えると安定性が低下し、また使用感、使用性も悪くなるので好ましくない。
【００１５】
本発明において、上記無機有色顔料と共に、タルクを配合すると、安定性の上で更に優れたものが得られることが明らかになった。タルクは化粧料において使用されるものであればいずれでもよく、上記無機有色顔料と予め混合してから液体洗浄剤組成物に配合するのが好ましい。本発明の液状洗浄剤組成物におけるタルクの配合量は0.0001〜0.1重量％の範囲である。この範囲未満では安定性向上効果が見られず、この範囲を越えると安定性が低下し、また使用感、使用性も悪くなるので好ましくない。また、上記配合量の範囲であれば、無機有色顔料とタルクの配合比率は特に限定されないが、本発明において好適な効果を得るためには、無機有色顔料：タルクの配合比が２：１〜１：５であることが好ましい。
【００１６】
本発明の液状洗浄剤組成物において、粘度は200〜10,000cpsの範囲であると安定性及び液状洗浄剤組成物としての使用性が良好である。特に、本発明の液状洗浄剤組成物はポンプタイプの容器に収容されることが多いことからも、上記粘度範囲が選択される。上記粘度範囲は上記必須成分の配合によって達成される場合もあるが、脂肪酸ジエタノールアミド等の界面活性剤、塩化ナトリウム等の無機塩、メチルセルロースやキサンタンガム等の水溶性高分子等の増粘剤を使用して調整することが好ましい。
【００１７】
更に本発明においては、高級感を感じさせる優れた外観を付与するために上記無機有色顔料と共にパール剤を配合しても良い。本発明において使用可能なパール剤としては、モノステアリン酸エチレングリコール、ジステアリン酸エチレングリコール等の高級脂肪酸エチレングリコールやパルミチン酸モノエタノールアミド等のアルキロールアミド、ステアリン酸等の高級脂肪酸等が挙げられる。パール剤の本発明組成物中の配合量は0.05〜10重量％の範囲である。
【００１８】
本発明の洗浄剤組成物においては、上記必須成分の他に、本発明の効果を損なわない範囲で無機酸塩；有機酸；高級脂肪酸以外の有機酸の塩；水溶性高分子等を使用してもよい。ここで、無機酸塩としては、例えば塩化ナトリウム、塩化カリウム、炭酸ナトリウム、炭酸水素ナトリウム、硫酸マグネシウム、ピロリン酸ナトリウム等の無機酸のアルカリ金属塩やアルカリ土類金属塩が挙げられ；有機酸としては、例えばラウリン酸、ミリスチン酸、パルミチン酸、ステアリン酸、オレイン酸、イソミリスチン酸、イソパルミチン酸、イソステアリン酸等の高級脂肪酸、ヒドロキシエタンジホスホン酸が挙げられ；有機酸塩としては、例えばクエン酸ナトリウム、グルコン酸ナトリウム等のヒドロキシ酸のアルカリ金属塩やアルカリ土類金属塩、エデト酸四ナトリウム又はこれらの水和物が挙げられ；界面活性剤としては、例えばラウリン酸ジエタノールアミド、ジステアリン酸エチレングリコール、アシルイセチオン酸ナトリウム、アルキル硫酸ナトリウム、アルキルエーテル硫酸ナトリウム、アルキルベタイン、アルキルアミンオキサイド等が挙げられ；水溶性高分子としては、例えばメチルセルロース、ヒドロキシプロピルセルロース等のセルロース系高分子やキサンタンガム、グアーガム等の多糖類、アクリル酸系の合成水溶性高分子等が挙げられる。
【００１９】
本発明の洗浄剤組成物には、前述した各成分の他に、必要に応じて、通常の皮膚洗浄剤の含有成分、例えばポリエチレングリコール、プロピレングリコール、グリセリン、ソルビトール、白糖等の保湿剤、高級アルコール、エステル、シリコーン等の油剤、香料、色素、紫外線吸収剤、殺菌剤、防腐剤、安定化剤、植物抽出物等を配合することができる。
【００２０】
本発明の液体洗浄剤組成物は、従来公知の方法によって製造することができ、製剤の状態により、必要に応じて、投入の順序を変更したり、加温、冷却を適宜行えば良い。
ここで、本発明における必須成分である無機有色顔料は、予め液状原料に混合して添加するか、分散力の強い攪拌装置、例えばホモミキサー等で混合するのが望ましい。
【００２１】
【実施例】
以下、実施例及び比較例により本発明を具体的に説明するが、これらは本発明の範囲を何ら制限するものではない。
実施例１
表１に示す組成の液状洗浄剤組成物を以下のようにして製造した。
製法
ラウリン酸、ミリスチン酸、パルミチン酸、ステアリン酸及び予め無機有色顔料を混合したオレイン酸を加熱混合した後、水酸化カリウムと精製水の混合物を加え、均一にする。その後その他の成分を順次冷却しながら加える。
【００２２】
【表１】
0004393633.tif 000002
【００２３】
上記の如くして得られた液状洗浄剤組成物について、高温における経時安定性を検討した。分離状態は、５０℃にて２週間保管後に目視にて確認した。その結果、黒酸化鉄とタルクの混合物を配合した本発明の液状洗浄剤組成物は、グレー色でパール状光沢のある美しい外観を有し、光安定性及び高温安定性に優れたものであった。また、良好な泡立ち、さっぱりした使用感を有する、液状洗浄剤組成物としての優れた性能を有していた。
実施例２
以下の表２に示す組成の液体洗浄剤組成物を実施例１と同様にして製造した。
【００２４】
【表２】
0004393633.tif 000003
【００２５】
上記の如くして製造した液状洗浄剤組成物は、黄橙色でパール状光沢のある美しい外観を有し、光安定性及び高温安定性に優れたものであった。また、良好な泡立ち、さっぱりした使用感を有する、液状洗浄剤組成物としての優れた性能を有していた。
実施例３
表３に示す組成の液体洗浄剤組成物を実施例１と同様にして製造した。
【００２６】
【表３】
0004393633.tif 000004
【００２７】
【表４】
0004393633.tif 000005
【００２８】
上記の如くして得られた液状洗浄剤組成物について、高温における経時安定性及び外観を検討した。分離状態は、５０℃にて１ケ月保管後に目視にて確認した。
判定基準
安定性  ○：異常なし  △：やや沈殿、オリ等あり  ×：沈殿、オリ等著しい
外観    ◎：よい  ○：ややよい  △：やや悪い  ×：悪い
上記の結果から明らかな如く、無機有色顔料である黒酸化鉄の配合量が0.1重量％以下の場合に安定性が良好であり、また外観上も優れたものが得られた。
実施例４
表５に示す組成の液状洗浄剤組成物を、全成分を加え、均一にして製造した。
【００２９】
【表５】
0004393633.tif 000006
【００３０】
上記の如くして製造した液状洗浄剤組成物は黄色の美しい外観を有し、光安定性及び高温安定性に優れたものであった。また、良好な泡立ち、さっぱりした使用感を有する、液状洗浄剤組成物としての優れた性能を有していた。
実施例５
表６に示す組成の液状洗浄剤組成物を以下のようにして製造した。
製法
ラウリン酸、ミリスチン酸、パルミチン酸、オレイン酸を加熱混合した後、水酸化カリウムと精製水の混合物を加え、均一にする。その後、その他の成分を順次冷却しながら加える。
【００３１】
【表６】
0004393633.tif 000007
【００３２】
【表７】
0004393633.tif 000008
【００３３】
上記の如くして得られたNo.１〜３の液状洗浄剤組成物について、高温安定性及び光安定性を検討した。温度安定性の評価は、５０℃、１ケ月保管後目視にて行ない、光安定性の評価は、太陽光に2週間暴露後、目視にて行った。
判定基準
温度安定性  ○：異常なし  △：やや変色、退色有り  ×：変色、退色著しい
光安定性    ○：異常なし  △：やや変色、退色有り  ×：変色、退色著しい
【００３４】
上記の結果から明らかな如く、無機有色顔料を特定量配合した本発明に係るNo.２の液状洗浄剤組成物は、温度安定性及び光安定性共に優れたものであった。また、良好な泡立ち、さっぱりした使用感を有する、液状洗浄剤組成物としての優れた性能を有していた。一方、有機系着色剤を配合したNo.３のものは、温度安定性及び光安定性共に問題があり、液状洗浄剤組成物として使用できないものであった。
【００３５】
【発明の効果】
以上詳述した如く、本発明によって、外観に優れ、安全性、及び温度・光に対する安定性、経時安定性の良好な液状洗浄剤組成物が提供される。特に、有機系着色剤を使用していないので、肌に対して安全で、光安定性に優れ、従来不可能であった半透明容器への収納が可能となった。また、無機有色顔料と共にパール剤を配合することにより、より高級感のある、嗜好性の高い製品を得ることができる。